(57)【特許請求の範囲】
【請求項１】
店舗内の低温ショーケースの冷凍装置及び前記店舗内の空間を空調する空調装置と通信可能な通信部と、
前記冷凍装置及び前記空調装置の運転を制御する制御部とを備え、
前記制御部は、
前記店舗の閉店時間帯開始時の前記店舗内の冷却状況を示す指標値を前記通信部を介して取得し、
閉店時間帯に前記冷凍装置のみ運転させる第１制御と、閉店時間帯に前記冷凍装置を運転させると共に前記空調装置も一時的に冷房運転させ、前記一時的な冷房運転を終了して以降は前記空調装置を前記閉店時間帯終了まで停止させる第２制御とのうち、前記取得した指標値に基づいて、閉店時間帯全体における消費電力量が小さくなる方を決定し、決定した制御に従って前記冷凍装置及び前記空調装置を制御することを特徴とする空調システムの制御装置。
【請求項２】
前記制御部は、前記第２制御において前記空調装置の一時的な冷房運転を、閉店時間帯の開始時に実施することを特徴とする請求項１記載の空調システムの制御装置。
【請求項３】
前記制御部は、前記指標値として前記店舗内の店内温度を取得し、取得した店内温度が予め設定した閾値より高い場合、前記第２制御に決定し、前記取得した店内温度が前記閾値以下の場合、前記第１制御に決定することを特徴とする請求項１又は請求項２記載の空調システムの制御装置。
【請求項４】
前記制御部は、前記第２制御において前記空調装置を一時的に冷房運転させる場合、その運転期間を、前記空調装置の運転を開始させてから店内温度の温度低下幅が所定値となるまでとしたことを特徴とする請求項１乃至請求項３の何れか１項に記載の空調システムの制御装置。
【請求項５】
前記制御部は、前記第２制御において前記空調装置を一時的に冷房運転させる場合、その運転期間を、前記空調装置の運転を開始させてからの前記空調装置の冷却能力の積算値が所定値となるまでとしたことを特徴とする請求項１乃至請求項３の何れか１項に記載の空調システムの制御装置。
【請求項６】
前記制御部は、前記第２制御において前記空調装置を一時的に冷房運転させる場合、その運転期間を、前記空調装置の運転を開始させてから所定時間としたことを特徴とする請求項１乃至請求項３の何れか１項に記載の空調システムの制御装置。
【請求項７】
請求項１乃至請求項６の何れか１項に記載の制御装置と、前記冷凍装置と、前記空調装置とを備えたことを特徴とする空調システム。
【発明の詳細な説明】
【技術分野】
【０００１】
本発明は、空調システムの制御装置及びその制御装置を備えた空調システムに関する。
【背景技術】
【０００２】
従来の店舗用の空調システムとして、特許文献１の例がある。特許文献１では、店舗内に低温ショーケースが配置されると共に、店舗内の空間を空調する空調装置とが配置され、これらが制御装置により制御されるシステムである。この種の空調システムでは、一般に店舗閉店時には、空調装置は停止され、ショーケースに冷熱を供給する冷凍装置は、食品保存のため、庫内を一定温度に保つように２４時間連続して運転されている。
【０００３】
この特許文献１の空調システムでは、店舗内のショーケースの負荷となる、空調装置の設定温度を、外気温度と空冷負荷比率（空調装置／ショーケース）に応じて変化させることで、空調装置及びショーケースの冷凍装置の消費電力量を合算した店舗全体の冷凍空調用の消費電力量を低減するように運転していた。
【先行技術文献】
【特許文献】
【０００４】
【特許文献１】特開平１１−２０１５２３号公報（要約、図１）
【発明の概要】
【発明が解決しようとする課題】
【０００５】
しかしながら従来の空調システムでは、以下のような課題があった。特許文献１の空調システムでは、空調装置と冷凍装置の最適な運転条件を求めるにあたり、空調負荷として日射、ドア開閉による外気侵入、照明、人員、換気などを想定している。しかし、店舗閉店時は、通常夜間であるため日射が無く、また、閉店時であるのでドアの開扉、人員もなく、照明・換気も停止される。このため、これらの負荷は店舗閉店時にはほぼ０となり、店舗閉店時の空調負荷は、一般には店舗躯体に蓄えられた熱が主体となる。よって、店舗閉店時は、店舗躯体に蓄えられた熱に応じて空調装置及び冷凍装置の最適運転を考慮する必要がある。しかし、従来の空調システムでは、この点を考慮した運転がなされておらず、冷凍空調用の消費電力量を低減するという効果が得られないという課題があった。
【０００６】
本発明は、上述のような課題を解決するためになされたものであり、閉店時間帯の冷凍空調用の消費電力量を低減することが可能な空調システムの制御装置及びその制御装置を備えた空調システムを得ることを目的とする。
【課題を解決するための手段】
【０００７】
本発明に係る空調システムの制御装置は、店舗内の低温ショーケースの冷凍装置及び店舗内の空間を空調する空調装置と通信可能な通信部と、冷凍装置及び空調装置の運転を制御する制御部とを備え、制御部は、店舗の閉店時間帯開始時の店舗内の冷却状況を示す指標値を通信部を介して取得し、閉店時間帯に冷凍装置のみ運転させる第１制御と、閉店時間帯に冷凍装置を運転させると共に空調装置も一時的に冷房運転させ、一時的な冷房運転を終了して以降は空調装置を閉店時間帯終了まで停止させる第２制御とのうち、取得した指標値に基づいて、閉店時間帯全体における消費電力量が小さくなる方を決定し、決定した制御に従って冷凍装置及び空調装置を制御するものである。
【発明の効果】
【０００８】
本発明によれば、閉店時間帯の冷凍空調用の消費電力量を低減することができる。
【図面の簡単な説明】
【０００９】
【図１】本発明の実施の形態１に係る空調システムを備えた店舗構成図である。
【図２】図１の冷凍空調コントローラの構成を示すブロック図である。
【図３】閉店時間帯開始時に空調装置を運転させなかった場合の空調システムの運転状態等を示した図である。
【図４】閉店時間帯に空調装置を一時的に運転させた場合の空調システムの動作状態等を示した図である。
【図５】図１の冷凍空調コントローラにおける閉店時間帯の制御フローチャートを示す図である。
【発明を実施するための形態】
【００１０】
実施の形態１．
図１は、本発明の実施の形態１に係る空調システムを備えた店舗構成図である。
図１において、店舗空間Ａを空調するために室外機１と室内機２とを備えた空調装置１００が設置されている。店舗空間Ａ内には更に、食品を冷却するための低温ショーケース４が設置されている。低温ショーケース４は、内部の食品を冷蔵又は冷凍が可能なショーケースであり、ショーケース４内に冷熱を供給するための冷凍機であるコンデンシングユニット３と組み合わせて冷凍装置２００を構成している。なお、図１にはショーケース４が１台しか記載されていないが、ショーケース４が並列に複数台接続されるのが一般的な構成となる。
【００１１】
空調装置１００及び冷凍装置２００共に、圧縮機で駆動される蒸気圧縮式冷凍サイクルにより冷熱、もしくは温熱を生成する装置である。更に詳しくは、空調装置１００では、空調圧縮機６、室外熱交換器７、空調膨張弁８及び室内熱交換器９を環状に接続して、冷凍サイクルを構成する。また冷凍装置２００では、冷凍圧縮機１０、冷凍凝縮器１１、冷凍膨張弁１２及び冷却熱交換器１３を環状に接続して冷凍サイクルを構成する。なお、空調装置１００では、一般に冷暖房が行えるように四方弁を設けて流路を反転させる構成を実現できるようにするが、本実施の形態１では冷房運転についてのみ説明するので、冷房運転時の回路構成を示している。また空調圧縮機６及び冷凍圧縮機１０共に、インバータで駆動され、運転容量が制御されるタイプである。
【００１２】
室内機２では、図１に点線矢印ａで示されるように、店舗空間Ａ内の空気を吸い込み、吸い込んだ空気を室内熱交換器９で冷却又は加熱することで空調を実施する。ショーケース４では、図１に点線矢印ｂで示されるように、ショーケース庫内の空気を吸い込み、吸い込んだ空気を冷却熱交換器１３で冷却し、再度ショーケース庫内に吹き出す空気の流れとなる。
【００１３】
温度センサ１４ａは室内機２内に設けられており、室内機２内部に吸い込まれる店舗空間Ａ内の空気温度（店内温度）を計測する。温度センサ１４ｂは室外機１内に設けられており、室外機１周囲の外気温度を計測する。温度センサ１４ｃはショーケース４の庫内に設けられており、ショーケース４の庫内温度を計測する。
【００１４】
図２は、図１の冷凍空調コントローラの構成を示すブロック図である。
冷凍空調コントローラ（制御装置）５は、通信部５ａと、空調システム全体を制御する制御部５ｂとを備えている。通信部５ａは、室外機１、室内機２、コンデンシングユニット３及びショーケース４のそれぞれに搭載された制御基板（図示せず）と通信可能に接続されている。制御部５ｂは、各機器のセンサ情報や運転情報を収集するとともに、使用者による設定や、予め搭載されている制御プログラム及び後述の図５に示すフローチャートに対応したプログラムに基づいて、空調装置１００及び冷凍装置２００の運転を制御する。
【００１５】
次に、空調装置１００及び冷凍装置２００のそれぞれの冷凍サイクルの運転動作について説明する。
（空調装置１００の冷凍サイクル動作）
空調装置１００では冷房運転の動作を説明する。空調圧縮機６から吐出された高温高圧のガス冷媒は、凝縮器となる室外熱交換器７に流入し、周囲の外気と熱交換して放熱し、凝縮液化される。その後、冷媒は空調膨張弁８にて減圧され低圧の二相冷媒となり、蒸発器となる室内熱交換器９に流入する。室内熱交換器９に流入した冷媒は、室内熱交換器９を通過する店内空気と熱交換して吸熱し、冷房作用を行う。室内熱交換器９にて店内空気と熱交換することにより蒸発ガス化した冷媒は、再び空調圧縮機６に吸入される。
【００１６】
（冷凍装置２００の冷凍サイクル動作）
冷凍装置２００では、冷凍圧縮機１０から吐出された高温高圧のガス冷媒は凝縮器となる冷凍凝縮器１１に流入し、周囲の外気と熱交換して放熱し、凝縮液化される。その後、冷媒は冷凍膨張弁１２にて減圧され低圧の二相冷媒となり、蒸発器となる冷却熱交換器１３に流入する。冷却熱交換器１３に流入した冷媒は、ショーケース庫内の空気と熱交換して吸熱し、冷房作用を行う。冷却熱交換器１３にてショーケース庫内の空気と熱交換することにより蒸発ガス化した冷媒は、再び冷凍圧縮機１０に吸入される。
【００１７】
（空調装置１００及び冷凍装置２００の冷凍サイクルにおける効率（ＣＯＰ））
空調装置１００では、２５℃前後の店内空気を冷却するため、冷熱源として機能する蒸発器での冷媒温度は１０℃程度でよい。しかし、冷凍装置２００では、ショーケース４の庫内を冷蔵運転では０℃、冷凍運転では−２５℃程度に冷却する必要があり、そのため冷熱源として機能する蒸発器（冷却熱交換器１３）での冷媒温度は、冷蔵で−１０℃、冷凍で−４０℃程度となる。空調装置１００及び冷凍装置２００共に、凝縮器での放熱は外気に対して実施するので冷凍サイクルの凝縮温度は同等であるが、蒸発温度は空調装置１００の方が高いので、一般に冷凍サイクルの運転効率は空調装置１００の方が高くなる。冷凍装置２００の効率（ＣＯＰ）は、冷蔵運転で２、冷凍運転で１程度であるのに対し、空調装置１００の効率では３〜４であり、数倍の差が生じる。
【００１８】
次に、空調装置１００における温度制御動作及び冷凍装置２００における温度制御動作を順に説明する。
（空調装置１００の温度制御）
空調装置１００では、温度センサ１４ａで計測される店内温度が、空調装置１００の使用者が設定した温度となるように制御される。すなわち、店内温度が設定温度より高い場合は、空調圧縮機６の運転容量を増加して空調装置１００の冷房能力を増加させ、店内温度が設定温度に近づくように温調動作を実施する。一方、店内温度が設定温度より低い場合は、空調圧縮機６の運転容量を減少して空調装置１００の冷房能力を減少させ、店内温度が設定温度に近づくように温調動作を実施する。
【００１９】
（冷凍装置２００の温度制御）
冷凍装置２００では、温度センサ１４ｃで計測される庫内温度が、冷凍装置２００の使用者が設定した温度となるように制御される。すなわち、冷凍装置２００の冷凍サイクルの蒸発温度が、使用者の設定した庫内温度に応じて決定される目標蒸発温度となるように、冷凍圧縮機１０の運転容量が制御される。
【００２０】
ショーケース４では、この目標蒸発温度で運転される場合、冷却負荷＜冷凍能力となり、庫内温度は運転に伴い次第に低下する。そして、庫内温度が設定温度以下になると、ショーケース４の運転を停止し、冷凍膨張弁１２の上流にある電磁弁（図示せず）を閉止する。電磁弁（図示せず）の閉止により冷却熱交換器１３に冷媒が流れなくなるので、冷凍能力＝０となり、次第にショーケース庫内の温度は上昇する。そして、庫内温度が設定温度より所定値以上、例えば２℃以上高くなると、ショーケース４の冷凍装置２００は運転を再開し、前述した電磁弁を開き、冷媒を冷却熱交換器１３に流れるようにする。運転再開によりショーケース４の庫内温度は再度、低下に転じる。このような動作を繰り返しながら、ショーケース４の庫内温度を設定温度近辺に維持する運転を実施する。
【００２１】
次に、閉店時間帯の空調装置１００及び冷凍装置２００のそれぞれの運転動作について順に説明する。
（冷凍装置２００の閉店時間帯の運転動作）
冷凍装置２００は、店舗開店時間帯及び閉店時間帯のどちらの場合も同様に、庫内温度が設定温度近傍となるように運転される。なお、ショーケース４は、閉店時にはナイトカバーが設置されるのが一般的であり、そのため、閉店時間帯のショーケース４の冷却負荷は店舗開店時よりも減少する。よって、庫内温度は低下しやすい一方、上昇しにくくなるため、ショーケース４の運転時間は、開店時よりも閉店時の方が短くなる。
【００２２】
（空調装置１００の閉店時間帯の運転動作）
空調装置１００は、開店時間帯は、上述したように店内温度が設定温度になるように運転制御されるが、閉店時間帯においては、閉店時間帯全体の冷凍空調用の消費電力量が最小となることを狙って運転制御される。閉店時間帯に空調装置１００を全く運転せずに冷凍装置２００だけで店舗内（ショーケース内を含む）の冷却を行う場合（第１制御）に比べ、閉店時間帯に冷凍装置２００の運転に加えて空調装置１００も一時的に運転した場合（第２制御）の方が、閉店時間帯全体の冷凍空調用の消費電力量を低減することが可能な場合がある。よって、どちらの制御が適切かを、店舗内の冷却状況に基づいて判断し、第２制御と判断された場合には、閉店時間帯に空調装置１００を一時的に運転する。なお、冷凍空調用の消費電力量とは、冷凍装置２００の消費電力量と空調装置１００の消費電力量との合算の消費電力量である。
【００２３】
本実施の形態の特徴は、閉店時間帯開始時の店舗内の冷却状況に基づいて、第１制御と第２制御のうち、冷凍空調用の消費電力量が小さくなる方を決定し、決定した制御に従って空調装置１００及び冷凍装置２００を制御することにある。以下、この制御原理について説明する。なお、第１制御と第２制御において、冷凍装置２００に関しては両制御共に運転しており、両制御の違いは、言わば空調装置１００を運転するかしないかの違いである。よって、以下では、閉店時間帯に空調装置１００を運転しない場合（第１制御）と、運転する場合（第２制御）とに分けて空調システムの動作状態を説明する。
【００２４】
図３は、閉店時間帯開始時に空調装置を運転しない場合の空調システムの動作状態等を示した図である。図３には、店内温度の変化と、空調装置の発停と、空調装置及び冷凍装置のそれぞれの消費電力量の変化が示されている。また、図３においてハッチングで示した部分Ａは、閉店時間帯の冷凍装置２００の消費電力量の合計を示している。以下の説明において、閉店時間帯開始時に空調装置１００を運転させなかった場合の閉店時間帯全体の冷凍装置２００の合計消費電力量を消費電力量Ａという。
開店時は、上述したように、空調装置１００及び冷凍装置２００が両方とも運転され、店内温度は開店時は設定温度に制御されている。開店時は、ドア開閉による外気侵入、照明、人員及び換気などの外からの熱の出入りがあるため、その熱による温度上昇が主として空調装置１００により取り除かれ、空調装置１００の運転により店内温度が設定温度に保たれている。
【００２５】
そして、閉店時間帯となると、空調装置１００の冷房運転は停止されるが、ショーケース４の冷凍装置２００は運転を継続しているため、店内温度は徐々に低下する。すなわち、外からの熱の侵入による温度上昇が無いなか、冷凍装置２００が継続して運転されるため、店内温度は徐々に低下する。しかし、冷凍装置２００の冷却能力は空調負荷に比べると小さいため、冷凍装置２００を運転していても、店内温度は急激に下がることはなく、ほぼ閉店時間帯開始時と変わらない。また、閉店時間帯の冷凍装置２００の消費電力は、上述したようにナイトカバーをすることにより、開店時より低くなっている。
【００２６】
そして、閉店時間終了間際（開店時間前）となると、開店準備のため従業員が在場し、照明や換気の空調負荷が増加するので、店内温度は上昇する。その後、開店時間となると、空調装置１００の運転が開始されるため、店内温度は次第に設定温度に近づき、その後設定温度に維持される。
【００２７】
図４は、閉店時間帯に空調装置を一時的に運転させる場合の空調システムの動作状態等を示した図である。図４には、店内温度の変化と、空調装置の発停と、空調装置及び冷凍装置のそれぞれの消費電力量の変化が示されている。なお、図４の破線は、対比のため、空調装置１００を運転しなかった場合について示したものである。図４においてハッチングで示した部分Ｂは、閉店時間帯の冷凍装置２００の消費電力量の合計を示しており、部分Ｃは閉店時間帯の空調装置１００の消費電力量の合計を示している。以下の説明において、閉店時間帯開始時に空調装置１００を運転した場合の閉店時間帯全体の冷凍装置２００の合計消費電力量を消費電力量Ｂといい、閉店時間帯開始時の空調装置１００の消費電力量を消費電力量Ｃという。また、図４では、空調装置１００の運転開始タイミングを閉店時間帯の開始時とし、運転期間を、店内温度の温度低下幅が所定値Ｔ0となるまでとした例を示している。
【００２８】
図４に示すように、閉店時間帯開始時に空調装置１００を冷房運転させると、空調装置１００は冷却能力が高いため、閉店時間帯開始時に冷凍装置２００だけを運転させた場合に比べて店内温度が急激に低下する。冷凍装置２００の冷却負荷は、ショーケース４内の庫内温度と店内温度との温度差で決定されるため、店内温度が低下すると、冷凍装置２００の冷却負荷が減少する。このため、消費電力量Ｂは消費電力量Ａに比べて少なくなる。すなわち、閉店時間帯開始時に空調装置１００を一時的に運転させ、冷却負荷となる、店舗躯体に貯えられた熱を積極的に除去して店舗内を冷却することで、閉店時間帯のショーケース４の冷凍装置２００の冷却負荷を低減して消費電力量Ｂを低く抑えることができる。
【００２９】
ここで、冷凍空調用の消費電力量について検討する。まず、閉店時間帯の空調装置１００の消費電力量Ｃは、この例では、店内温度の温度低下幅が所定値Ｔ0となるまでに必要な消費電力量となる。よって、閉店時間帯の冷凍空調用の消費電力量は、消費電力量Ｃと冷凍装置２００側の消費電力量Ｂとの合算となる。閉店時間帯開始時に空調装置１００を運転する場合、運転しない場合に比べて、その運転分の消費電力量Ｃが増加する。しかし、その増加分Ｃよりも、冷凍装置２００の消費電力量の低下分（消費電力量Ａ−消費電力量Ｂ）が上回る場合、省エネとなる。
【００３０】
次に、冷凍装置２００の消費電力量Ａに着目する。閉店時間帯開始時の店内温度が高いほど、ショーケース４内を設定温度に保とうとする冷凍装置２００の冷却負荷も大きくなる。すなわち、閉店時間帯における冷凍装置２００の冷却負荷は、店内温度とショーケース４の設定温度との温度差で決定されるため、閉店時間帯開始時の店内温度が高いほど、消費電力量Ａは大きくなる。したがって、閉店時間帯開始時の店内温度が高いほど、閉店時間帯開始時に空調装置１００を運転して店内温度を低下させることにより、空調装置１００を運転する場合としない場合との消費電力量の低減幅（消費電力量Ａ−消費電力量Ｂ）を大きくすることができる。
【００３１】
一方、閉店時間帯開始時の店内温度が低いと、冷凍装置２００の冷却負荷も少なく、冷凍装置２００の消費電力量も少ない。このため、閉店時間帯開始時に空調装置１００を運転することによる冷凍装置２００の消費電力量の低減幅（消費電力量Ａ−消費電力量Ｂ）も小さい。このように、冷凍装置２００の消費電力量の低減幅は、閉店時間帯開始時の店内温度の影響を受ける。すなわち、店内温度が、ある温度よりも高い場合は、空調装置１００を運転した方が冷凍空調の消費電力量が小さくなり、ある温度以下の場合は空調装置１００を運転しない方が冷凍空調の消費電力量が小さくなる。よって、消費電力量Ａ−消費電力量Ｂ＞消費電力量Ｃとなる閾値温度を予め求め、その閾値温度に基づいて空調装置１００の運転の要否を判定した上で制御することにより、閉店時間帯の省エネが可能となる。この閾値温度は予め求められ、冷凍空調コントローラ５に記憶されている。
【００３２】
図５は、図１の冷凍空調コントローラにおける閉店時間帯の制御フローチャートを示す図である。なお、図５のフローチャートには示していないが、冷凍装置２００は、上述したように、庫内を設定温度近傍となるように運転制御されている。
まず、冷凍空調コントローラ５は、開店時間が終了し閉店時間帯開始時となると、温度センサ１４ａの検出値（店内温度）を通信部５ａを介して取得する（Ｓ１）。そして、冷凍空調コントローラ５は、店内温度に基づいて空調装置１００の運転要否を判定（第１制御か第２制御かを判定）する（Ｓ２）。すなわち、店内温度が予め設定された閾値温度より高いか否かを判定する。店内温度が閾値温度（例えば２２℃）よりも高い場合、空調装置１００の運転要と判定し、空調装置１００の冷房運転を開始させる（Ｓ３）。そして、店内温度が終了判定温度（設定温度（ここでは２２℃）−所定値Ｔ0（ここでは２℃）＝２０℃）よりも低くなると（Ｓ４）、冷凍空調コントローラ５は、空調装置１００の運転を終了させる（Ｓ５）。ステップＳ２において店内温度が閾値温度以下の場合、空調装置１００の運転否と判定し、空調装置１００の運転を停止させる。
【００３３】
その後、閉店時間帯の間は空調装置１００の運転を停止したままとし、翌朝の店舗開店時になると、空調装置１００の使用者の指示に応じて、空調装置１００を運転又は停止させる。
【００３４】
以下、空調装置１００の運転要否判定や、空調装置１００の運転終了判定に使用する指標の他の例について順次説明する。
【００３５】
［空調装置１００の運転要否判定の他の指標］
（店内温度及び湿度）
空調装置１００の運転要否は、結局のところ閉店時間帯の冷凍装置２００の冷却負荷次第であるため、運転要否判定の指標は、上述した店内温度に限られず、店舗内の冷却状況（冷却負荷）を判断できる他の指標を用いてもよい。例えば、冷却負荷は店内湿度が高いと大きくなり、湿度が低いと小さくなるので、閉店時間帯開始時の店内温度と湿度の両方を指標値として用いて判定を行うようにしてもよい。すなわち、店内温度が所定温度より高く、且つ、湿度が所定湿度より高い場合には、空調装置１００の運転を実施すると判定し、そうでない場合には、空調装置１００の運転を実施しないと判定する。
【００３６】
（店内空気のエンタルピ）
また温度と湿度の両方を同時に評価することを狙って、店内空気のエンタルピを運転要否判定の指標に用いてもよい。冷却負荷は店内空気のエンタルピが高いと大きくなり、エンタルピが低いと小さくなる。よって、閉店時間帯開始時の店内空気のエンタルピが所定値より高い場合は、空調装置１００の運転を実施すると判定し、エンタルピが低い場合には、空調装置１００の運転を実施しないと判定する。
【００３７】
［空調装置１００の運転要否判定の閾値（固定値又は変動値）］
空調装置１００の運転要否を判定する指標の閾値は、上述したように予め定められた固定値でもよいし、運転条件に応じて随時変更してもよい。例えば、冷凍装置２００の消費電力量Ａ＞消費電力量Ｂ＋消費電力量Ｃと想定される場合には、より空調装置１００の運転が実施されやすくなるように閾値を変更する。具体的には、外気温度が高い場合は、冷凍装置２００の消費電力量Ａが高くなるので、運転要否を判定する閾値、例えば店内温度閾値を低く設定し、逆に外気温度が低い場合は店内温度閾値を高く設定する。
【００３８】
また、店舗閉店時間の長さに応じて閾値を変更してもよい。冷凍装置２００の消費電力量は、店舗閉店時間が長いほど大きくなる。よって、店舗閉店時間の長さが長くなるほど、空調装置１００の運転が実施されやすいように、運転要否を判定する閾値、例えば店内温度閾値を低く設定し、逆に店舗閉店時間が短い場合は店内温度閾値を高く設定する。
【００３９】
また、運転要否判定の指標の閾値を、冷凍装置２００の容量（総馬力数）と空調装置１００の容量との相対的な関係を加味して決定するようにしてもよい。すなわち、店舗に設置されている冷凍装置２００の容量（総馬力数）が、空調装置１００の容量に対して相対的に大きい場合は、冷凍装置２００の消費電力量が空調装置１００に対して相対的に大きくなる。よって、空調装置１００の運転が実施されやすいように、運転要否を判定する閾値、例えば店内温度閾値を低く設定し、逆に冷凍装置２００の容量が少ない場合は店内温度閾値を高く設定する。
【００４０】
［空調装置１００の運転期間］
（空調装置１００の冷却能力の積算値による運転終了判定）
空調装置１００の運転終了を判定する条件として、上記では店内温度を設定しているが、空調装置１００の運転は、言わば店舗躯体に蓄えられている熱量を所定量取り除くことが狙いとなるので、熱量を把握できる他の判定指標を用いてもよい。例えば、空調装置１００の運転状態から空調装置１００の冷却能力（ｋＷ／ｈ）を把握し、この冷却能力の積算値（ｋＷ）が所定値となった場合に、空調装置１００の運転を終了すると判定してもよい。この場合、空調装置１００の冷却能力より空調装置１００の消費電力量が推算できるので、空調装置１００の運転に要する消費電力量Ｃと店内温度低下に伴う冷凍装置２００の消費電力量の低減幅（消費電力量Ａ−消費電力量Ｂ）との釣り合いを定量的に把握できる。よって、閉店時間帯の冷凍空調の消費電力量が最小となる運転条件を設定しやすくなるという利点を持つ。
【００４１】
（空調装置１００の運転時間による運転終了判定）
空調装置１００の運転終了を判定する条件として運転時間を用いてもよい。空調装置１００の運転時間と冷却能力とは比例するので、必要な積算冷却能力から運転時間を求めて設定してもよい。この場合、空調装置１００が予め設定された所定時間、運転したら、その時点で運転を終了する。
【００４２】
［空調装置１００の運転時間帯］
上記では、閉店時間帯の開始時に空調装置１００を運転するようにしているが、これに限られたものではなく、閉店時間帯であればどの時間帯に運転してもよい。しかし、冷凍装置２００の消費電力低減効果は、空調装置１００の運転により店内温度が低下した時点から得られるので、店舗閉店時間帯の開始時に実施する場合が最も冷凍装置２００の消費電力量の低減効果が大きい。
【００４３】
また、閉店時間帯であっても、閉店後の片付けなどで、照明及び換気などが運転され、従業員が在室している場合は、その分の熱量によって空調負荷が増加するため、空調装置１００の消費電力量Ｃが増加してしまう。従って、照明及び換気のような空調負荷の有無を把握して空調装置１００の運転を開始するタイミングを決定するようにしてもよい。すなわち、店舗閉店時間後、照明及び換気が停止された段階で空調装置１００の運転を開始するようにしてもよい。空調負荷の有無の判断は、例えば、冷凍空調コントローラ５が、照明及び換気の運転情報と店舗の閉店時間の情報とを通信部５ａを介して取り込み、取り込んだ情報に基づいて判断すればよい。
【００４４】
以上のように、本実施の形態では、閉店時間帯に空調装置１００を一時的に運転する場合と運転しない場合とのうち、閉店時間帯の冷凍空調用の消費電力量が小さくなる方を店舗内の冷却状況に基づいて決定し、決定結果に基づいて空調装置１００の運転を制御する。これにより、店舗内の冷却状況に見合った省エネ制御を選択的に実施することができ、空調装置１００側だけでなく冷凍装置２００側も含めた閉店時間帯の冷凍空調用の消費電力量を低減することができる。
【符号の説明】
【００４５】
１  室外機、２  室内機、３  コンデンシングユニット、４  ショーケース、５  冷凍空調コントローラ、５ａ  通信部、５ｂ  制御部、６  空調圧縮機、７  室外熱交換器、８  空調膨張弁、９  室内熱交換器、１０  冷凍圧縮機、１１  冷凍凝縮器、１２  冷凍膨張弁、１３  冷却熱交換器、１４ａ  温度センサ、１４ｂ  温度センサ、１４ｃ  温度センサ、１００  空調装置、２００  冷凍装置、Ａ  店舗空間。
【図１】
0005318059.tif 000002
【図２】
0005318059.tif 000003
【図３】
0005318059.tif 000004
【図４】
0005318059.tif 000005
【図５】
0005318059.tif 000006